(57)【要約】【課題】カルテ１号用紙と診察カードを同時に発行し、発行される診察カードに他の医療施設の情報が表示されるカルテ１号用紙発行システムを提供する。【解決手段】カルテ１号用紙発行システム２は、カルテ１号用紙の発行等の処理を行うデータ処理部４を備え、データ処理部４には、患者に関する患者情報、患者の健康保険に関する保険情報及び患者により提示された他の医療施設の情報（他施設情報）を入力する入力部６、入力された患者情報、保健情報及び他施設情報を患者識別コードに対応させて記憶するデータ記憶部８が接続されている。また、データ処理部４には、カルテ１号用紙と一体化した診察カードの所定の位置に診察カードを発行する医療施設の名称又は施設コード、患者識別コード、患者情報の中の所定の情報及び他施設情報を印刷すると共に、カルテ１号用紙の所定の位置に患者情報及び保険情報を印刷する印刷部１０が接続されている。【選択図】　図１
2004013251.tif 000002
【特許請求の範囲】
【請求項１】
患者に関する患者情報及び患者が加入している健康保険に関する保険情報を入力する入力手段と、
前記入力手段により入力された前記患者情報及び前記保険情報を患者識別コードに対応させて記憶する記憶手段と、
カルテ１号用紙と一体化した診察カードの所定の位置に、該診察カードを発行する医療施設の名称又は該医療施設を示す施設コード、前記患者識別コード及び前記患者情報の中の所定の情報を印刷すると共に、
前記カルテ１号用紙の所定の位置に、前記患者情報、前記保険情報及び前記患者識別コードを印刷する印刷手段と
を備えることを特徴とするカルテ１号用紙発行システム。
【請求項２】
前記入力手段は、前記患者により提示された他の医療施設の情報を他施設情報として更に入力し、
前記記憶手段は、前記入力手段により入力された前記他施設情報を前記患者識別コードに対応させて更に記憶し、
前記印刷手段は、前記カルテ１号用紙と一体化した診察カードの所定の位置に、前記他施設情報を更に印刷することを特徴とする請求項１記載のカルテ１号用紙発行システム。
【請求項３】
前記他施設情報は、前記他の医療施設の名称又は該他の医療施設を示す施設コード及び、該他の医療施設において使用される患者識別コードを含むことを特徴とする請求項２記載のカルテ１号用紙発行システム。
【請求項４】
前記入力手段は、前記患者のアレルギー又は特異体質に関する特記事項を更に入力し、
前記記憶手段は、前記入力手段により入力された前記特記事項を前記患者識別コードに対応させて更に記憶し、
前記印刷手段は、前記カルテ１号用紙の所定の位置に、前記特記事項を更に印刷することを特徴とする請求項１〜請求項３の何れか一項に記載のカルテ１号用紙発行システム。
【請求項５】
前記患者情報は、前記患者の氏名、性別、生年月日及び住所を含むことを特徴とする請求項１〜請求項４の何れか一項に記載のカルテ１号用紙発行システム。
【請求項６】
前記患者識別コードは、前記患者のカルテ毎に付与されるカルテ番号又は前記患者毎に付与される患者番号であることを特徴とする請求項１〜請求項５の何れか一項に記載のカルテ１号用紙発行システム。
【請求項７】
患者の氏名及び前記患者により提示された他の医療施設の情報を他施設情報として入力する入力手段と、
前記入力手段により入力された前記患者の氏名及び前記他施設情報を患者識別コードに対応させて記憶する記憶手段と、
診察カードの所定の位置に、該診察カードを発行する医療施設の名称又は該医療施設を示す施設コード、前記患者識別コード、前記患者の氏名及び前記他施設情報を表示する表示手段と
を備えることを特徴とする診察カード発行システム。
【請求項８】
前記患者識別コードは、前記患者のカルテ毎に付与されるカルテ番号又は前記患者毎に付与される患者番号であることを特徴とする請求項７記載の診察カード発行システム。
【請求項９】
前記他施設情報は、前記他の医療施設の名称又は該他の医療施設を示す施設コード及び、該他の医療施設において使用される患者識別コードを含むことを特徴とする請求項７又は請求項８記載の診察カード発行システム。
【発明の詳細な説明】
【０００１】
【発明の属する技術分野】
この発明は、診療所や病院等の医療施設で用いるカルテ１号用紙を発行するカルテ１号用紙発行システム及び医療施設で用いる診察カードを発行する診察カード発行システムに関するものである。
【０００２】
【従来の技術】
従来、診療所や病院等の医療施設においては、患者毎にカルテを作成している。カルテを作成する際には、カルテ１号用紙、即ち、カルテの１枚目の用紙に患者に関する情報、患者の加入している健康保険に関する情報、患者のアレルギー等に関する情報及び患者識別コードが記載される。患者に関する情報には、患者の氏名、性別、生年月日及び住所等の情報が含まれ、患者の加入している健康保険に関する情報には、健康保険の種類、有効期限及び交付年月日等の情報が含まれる。また、患者のアレルギー等に関する情報には、患者の有するアレルギーの他、特異体質、薬疹の有無及び薬疹の原因となった薬品の名称等の情報が含まれる。また、カルテに記載される患者識別コードは、カルテ毎に付与されるカルテ番号又は患者毎に付与される患者番号（患者ＩＤ）であり、患者とカルテを対応させるために用いられる。
【０００３】
また、作成されたカルテに記載されている患者識別コード及び患者の氏名を表示した診察カードが作成され、作成された診察カードは患者に付与される。この診察カードは、患者が医療施設において受診する際に、その患者のカルテを特定するために用いられる。即ち、患者により提示された診察カードに表示された患者識別コード及び患者の氏名と同一の患者識別コード及び患者の氏名が記載されているカルテが、その患者のカルテとして特定される。診察カードの表示により特定された患者のカルテには、患者が受診した際における患者の主訴、患者の主訴に対する医師の所見、処方及び処置等が記載される。
【０００４】
複数の医療施設に受診している患者に対しては、医療施設毎にカルテが作成される。また、カルテに記載された患者識別コード及び患者の氏名を表示した診察カードが医療施設毎に作成される。
【０００５】
【発明が解決しようとする課題】
ところで、カルテに記載された患者識別コード及び患者の氏名を診察カードに表示する場合、カルテと診察カードが別々に作成されることから患者識別コード又は患者の氏名の表示の誤りが発生するという問題がある。例えば、カルテに基づいて診察カードを作成する場合に、診察カードに誤った患者識別コード又は患者の氏名を表示してしまう場合がある。
【０００６】
また、複数の医療施設において受診している患者は、医療施設毎に発行される複数の診察カードを携行しなければならず、携行する診察カードの枚数が多くなってしまうという問題がある。
【０００７】
この発明の課題は、表示される患者識別コード又は患者の氏名に誤りが無いカルテ１号用紙及び診察カードを容易に発行するカルテ１号用紙発行システム及び利用価値の高い診察カードを発行する診察カード発行システムを提供することである。
【０００８】
【課題を解決するための手段】
請求項１記載のカルテ１号用紙発行システムは、患者に関する患者情報及び患者が加入している健康保険に関する保険情報を入力する入力手段と、前記入力手段により入力された前記患者情報及び前記保険情報を患者識別コードに対応させて記憶する記憶手段と、カルテ１号用紙と一体化した診察カードの所定の位置に、該診察カードを発行する医療施設の名称又は該医療施設を示す施設コード、前記患者識別コード及び前記患者情報の中の所定の情報を印刷すると共に、前記カルテ１号用紙の所定の位置に、前記患者情報、前記保険情報及び前記患者識別コードを印刷する印刷手段とを備えることを特徴とする。
【０００９】
この請求項１記載のカルテ１号用紙発行システムによれば、同一の患者識別コードを診察カード及びカルテ１号用紙にそれぞれ印刷すると共に、カルテ１号用紙に印刷される患者情報の中の所定の情報を診察カードに印刷している。そのため、表示される内容に誤りが無いカルテ１号用紙及び診察カードを容易にかつ低コストで発行することができる。
【００１０】
また、請求項２記載のカルテ１号用紙発行システムは、前記入力手段が、前記患者により提示された他の医療施設の情報を他施設情報として更に入力し、前記記憶手段は、前記入力手段により入力された前記他施設情報を前記患者識別コードに対応させて更に記憶し、前記印刷手段は、前記カルテ１号用紙と一体化した診察カードの所定の位置に、前記他施設情報を更に印刷することを特徴とする。
【００１１】
この請求項２記載のカルテ１号用紙発行システムによれば、カルテ１号用紙と一体化した診察カードの所定の位置に、患者により提示された他の医療施設の情報を他施設情報として更に印刷している。従って、患者が携行している１枚の診察カードに表示された他施設情報に基づいて、他の医療施設に対して患者に関する問い合わせを容易に行うことができる。また、患者が携行する診察カードの枚数を削減することができる。
【００１２】
また、請求項３記載のカルテ１号用紙発行システムは、前記他施設情報が、前記他の医療施設の名称又は該他の医療施設を示す施設コード及び、該他の医療施設において使用される患者識別コードを含むことを特徴とする。
【００１３】
この請求項３記載のカルテ１号用紙発行システムによれば、他の医療施設の名称又は施設コード及び、その医療施設で使用される患者識別コードを診察カードに印刷できる。そのため、一の医療施設の医師は、診察カードに表示された他の医療施設の名称又は医療施設を示す施設コード、及び患者識別コードにより、医療施設及び患者を特定し、他の医療施設に対して患者に関する問い合わせを容易に行うことができる。
【００１４】
また、請求項４記載のカルテ１号用紙発行システムは、前記入力手段が、前記患者のアレルギー又は特異体質に関する特記事項を更に入力し、前記記憶手段は、前記入力手段により入力された前記特記事項を前記患者識別コードに対応させて更に記憶し、前記印刷手段は、前記カルテ１号用紙の所定の位置に、前記特記事項を更に印刷することを特徴とする。
【００１５】
この請求項４記載のカルテ１号用紙発行システムによれば、カルテ１号用紙の所定の位置に、患者のアレルギー又は特異体質に関する特記事項を更に印刷できることから、例えば、患者に対して使用することができない薬剤等を容易に把握することができる。
【００１６】
また、請求項５記載のカルテ１号用紙発行システムは、前記患者情報が、前記患者の氏名、性別、生年月日及び住所を含むことを特徴とする。この請求項５記載のカルテ１号用紙発行システムによれば、カルテ１号用紙に印刷される患者情報に含まれている所定の情報、例えば、患者の氏名を診察カードに印刷することができる。従って、カルテ１号用紙及び診察カードに確実に同一の患者情報を印刷することができる。
【００１７】
また、請求項６記載のカルテ１号用紙発行システムは、前記患者識別コードが、前記患者のカルテ毎に付与されるカルテ番号又は前記患者毎に付与される患者番号であることを特徴とする。
【００１８】
この請求項６記載のカルテ１号用紙発行システムによれば、医療施設において患者と患者のカルテを対応させるための患者識別コードとしてカルテ番号又は患者番号（患者ＩＤ）を用いることができ、患者とその患者のカルテを適切に対応させることができる。
【００１９】
また、請求項７記載の診察カード発行システムは、患者の氏名及び前記患者により提示された他の医療施設の情報を他施設情報として入力する入力手段と、前記入力手段により入力された前記患者の氏名及び前記他施設情報を患者識別コードに対応させて記憶する記憶手段と、診察カードの所定の位置に、該診察カードを発行する医療施設の名称又は該医療施設を示す施設コード、前記患者識別コード、前記患者の氏名及び前記他施設情報を表示する表示手段とを備えることを特徴とする。
【００２０】
また、請求項８記載の診察カード発行システムは、前記患者識別コードが、前記患者のカルテ毎に付与されるカルテ番号又は前記患者毎に付与される患者番号であることを特徴とする。
【００２１】
また、請求項９記載の診察カード発行システムは、前記他施設情報が、前記他の医療施設の名称又は該他の医療施設を示す施設コード及び、該他の医療施設において使用される患者識別コードを含むことを特徴とする。
【００２２】
この請求項７〜請求項９に記載の診察カード発行システムによれば、診察カードを発行する医療施設の名称又は施設コード、患者識別コード、患者の氏名及び患者により提示された他の医療施設の情報を１枚の診察カードに表示できる。そのため、一の医療施設の医師は、患者が携行する１枚の診察カードに表示された他施設情報に基づいて、他の医療施設に対して患者に関する問い合わせを容易に行うことができる。
【００２３】
【発明の実施の形態】
以下、図面を参照して、この発明の実施の形態に係るカルテ１号用紙発行システムについて説明する。
【００２４】
図１は、実施の形態に係るカルテ１号用紙発行システムのブロック構成図である。この図１に示すように、カルテ１号用紙発行システム２は、カルテ１号用紙を発行する等の処理を行うデータ処理部４を備えている。このデータ処理部４には、患者に関する患者情報、患者が加入している健康保険に関する保険情報及び患者のアレルギー等に関する特記事項等を入力する入力部６、入力部６を介して入力された患者情報、保険情報及び特記事項等を記憶するデータ記憶部８及び、カルテ１号用紙の所定の位置及び診察カードの所定の位置に患者の氏名等を印刷する印刷部１０が接続されている。
【００２５】
データ記憶部８には、患者情報、即ち、患者の氏名、ふりがな、性別、生年月日、住所、電話番号及び職種等の情報が記憶される。また、保険情報、即ち、患者が加入している健康保険の種類、公費負担者番号、公費負担医療の受給者番号、有効期限及び交付年月日等の情報が記憶される。更に、特記事項、即ち、患者の有するアレルギー、特異体質、薬疹の有無及び薬疹の原因となった薬品名等に関する情報が記憶される。ここで、患者情報、保険情報及び特記事項は、患者識別コード、即ち、カルテ毎に付与されるカルテ番号又は患者毎に付与される患者番号（患者ＩＤ）に対応させて記憶される。なお、患者識別コードは、患者情報、保険情報及び特記事項等の情報が入力された場合に、入力された順番に従ってカルテ毎又は患者毎に順次付与される。
【００２６】
また、患者により他の医療施設の情報が提示された場合には、提示された他の医療施設の情報が他施設情報として入力部６を介して入力され、データ記憶部８に記憶される。例えば、他の医療施設で使用している診察カードが提示された等の場合には、診察カードに表示されている他施設情報、即ち、その診察カードを発行した医療施設の名称又は施設コード及び、その医療施設で使用される患者識別コードが入力され、患者識別コードに対応させてデータ記憶部８に記憶される。
【００２７】
図２は、カルテ１号用紙の一例を示す図である。この図２に示すように、カルテ１号用紙には、右上部から順次、患者識別コードを印刷する欄、患者の氏名、性別、生年月日、住所、電話番号、職種を含む患者情報を印刷する欄、患者の加入している健康保険の公費負担者番号、公費負担医療の受給者番号、有効期間及び交付月日を含む保険情報を印刷する欄及び薬疹の有無、薬疹の原因となった薬品名、アレルギー及び特異体質を含む特記事項を印刷する欄が設けられている。また、カルテ１号用紙の中央より下部には紹介状等の保管物に関する情報を印刷する欄が設けられている。
【００２８】
また、カルテ１号用紙の左上部には、診察カード１２が貼り付けられ、カルテ１号用紙と診察カード１２が一体化されている。カルテ１号用紙に貼り付けられている診察カード１２には、上部中央に診察カードを発行する医療施設の名称又はその医療施設を示す施設コードを印刷する欄、左下部に患者の氏名を印刷する欄、右下部に患者識別コードを印刷する欄が設けられている。また、診察カード１２の中央部には、他施設情報、即ち、他の医療施設の名称又は施設コード及び、その医療施設で使用される患者識別コードを印刷する他施設情報印刷欄１４が設けられている。
【００２９】
診察カード１２は、プラスチックのカード又は樹脂等により補強された紙のカードであり、カルテ１号用紙に剥離可能に貼り付けられ、カルテ１号用紙と一体化している。図３に示すように、この診察カード１２は、所定の情報が印刷された後にカルテ１号用紙から剥離され、患者に付与されて診察カードとして用いられる。
【００３０】
次に、図４のフローチャートを参照して実施の形態に係るカルテ１号用紙発行システムによるカルテ１号用紙の発行処理について説明する。
【００３１】
まず、患者情報、保険情報及び特記事項を入力部６を介して入力する（ステップＳ１０）。即ち、患者により必要事項が記入されて提示された問診表等から、患者の氏名及び生年月日等に関する患者情報、患者の有するアレルギー及び特異体質等に関する特記事項を入力する。また、患者により提示された保険証から、患者の加入している健康保険の種類及び有効期限等に関する保険情報を入力する。なお、他の医療施設の医師による紹介状等が患者により提示された場合には、提示された紹介状に関する情報も併せて入力する。
【００３２】
次に、患者により他施設情報が提示された場合には（ステップＳ１１）、提示された他施設情報を入力部６を介して入力する（ステップＳ１２）。即ち、患者が受診している他の医療施設の名称又は施設コード及び、その医療施設で使用される患者の患者識別コードが提示された場合には、提示された他の医療施設の名称又は施設コード及び、患者識別コードを入力する。
【００３３】
ここで、入力部６は、キーボード、カードリーダ又はバーコードリーダにより構成されている。従って、患者情報、保険情報及び特記事項等は、キーボードを介して入力される。また、例えば、患者により他の医療施設で使用される診察カード（他施設カード）が提示された場合には、他施設カードに表示されている医療施設の名称又は施設コード及び、患者識別コードがキーボード又はカードリーダを介して入力される。また、他施設カードにバーコードが貼り付けられている場合には、バーコードリーダを介してバーコードに記録されている他施設情報が入力される。
【００３４】
次に、入力された情報を患者識別コードに対応させてデータ記憶部８に記憶する（ステップＳ１３）。即ち、ステップＳ１０において入力された患者情報、保険情報及び特記事項等を患者識別コードに対応させて記憶する。また、ステップＳ１２において他施設情報が入力された場合には、入力された他施設情報も患者識別コードに対応させて記憶する。なお、患者識別コードは、患者情報等が入力されたカルテ毎又は患者毎に順次付与される。
【００３５】
次に、カルテ１号用紙の所定の位置及びカルテ１号用紙と一体化している診察カードの所定の位置にデータ記憶部８に記憶されている所定の情報を印刷する（ステップＳ１４）。即ち、図２に示すカルテ１号用紙において、患者識別コードを印刷する欄に患者識別コードを、患者情報を印刷する欄に患者情報を、保険情報を印刷する欄に保険情報を、特記事項を印刷する欄に特記事項をそれぞれ印刷する。なお、紹介状等の保管物が存在する場合には、カルテ１号用紙の保管物に関する情報を印刷する欄に、保管物に関する情報を印刷する。
【００３６】
また、カルテ１号用紙と一体化している診察カードにおいて、医療施設の名称又は施設コードを印刷する欄に診察カードを発行する医療施設の名称又は施設コードを、患者の氏名を印刷する欄に患者の氏名を、患者識別コードを印刷する欄に患者識別コードをそれぞれ印刷する。
【００３７】
ここで、ステップＳ１２において他施設情報が入力された場合には、診察カード１２の他施設情報印刷欄１４に他施設情報、即ち、他の医療施設の名称又は施設コード及び、その医療施設で使用される患者識別コードが印刷される。
【００３８】
図５は、ステップＳ１４において所定の情報が印刷されたカルテ１号用紙と一体化した診察カードの診察カード部分のみの一例を記載した図である。例えば、ＡＢＣ病院において診察カードを発行する際に、患者により他の医療施設の情報が提示された場合には、以下に説明する所定の情報が診察カードに印刷される。即ち、患者によりＤＥＦ病院の情報が提示された場合には、図５（ａ）に示すように、所定の欄にＡＢＣ病院の名称、患者の氏名及びＡＢＣ病院で使用される患者識別コードが印刷されると共に、他施設情報印刷欄１４にＤＥＦ病院の名称及びＤＥＦ病院で使用される患者識別コードが印刷される。また、患者により乙病院及び丙病院の情報が提示された場合には、図５（ｂ）に示すように、所定の欄にＡＢＣ病院の名称、患者の氏名及びＡＢＣ病院の患者識別コードが印刷されると共に、他施設情報印刷欄１４に、乙病院の名称と乙病院で使用される患者識別コード及び、丙病院の名称と丙病院で使用される患者識別コードが印刷される。
【００３９】
図６は、ステップＳ１４において所定の情報が印刷されたカルテ１号用紙と一体化した診察カードの診察カード部分のみの他の例を記載した図である。例えば、乙病院において診察カードを発行する際に、患者によりＡＢＣ病院において発行された図５（ａ）に示す診察カードが提示された場合には、以下に説明する所定の情報が診察カードに印刷される。即ち、まず、提示されたＡＢＣ病院の診察カード１２に表示されているＡＢＣ病院の名称、ＡＢＣ病院の患者識別コード及び他施設情報印刷欄１４に表示されているＤＥＦ病院の名称とＤＥＦ病院の患者識別コードがキーボード又はカードリーダを介して入力され、他施設情報として乙病院の患者識別コードに対応させて記憶される。次に、図６に示すように、診察カード１２の所定の欄に、乙病院の名称、患者の氏名及び乙病院の患者識別コードが印刷されると共に、他施設情報印刷欄１４に、ＡＢＣ病院の名称とＡＢＣ病院で使用される患者識別コード及び、ＤＥＦ病院の名称とＤＥＦ病院で使用される患者識別コードが印刷される。
【００４０】
なお、カルテ１号用紙の所定の欄及び診察カードの所定の欄にそれぞれ所定の情報が印刷されたカルテ１号用紙が発行された場合には、カルテ１号用紙から診察カードが剥離される。この剥離された診察カードは、該当する患者により保有され、受診の際に医療施設に提示される。一方、カルテ１号用紙はカルテ１号用紙及び診察カードを発行した医療施設により保有される。
【００４１】
この実施の形態のカルテ１号用紙発行システムは、カルテ１号用紙と診察カードに、同一の患者識別コードをそれぞれ印刷すると共に、カルテ１号用紙に印刷される患者情報に含まれている患者の氏名を診察カードに印刷することができる。そのため、カルテ１号用紙に印刷される患者識別コード及び患者の氏名と、診察カードに印刷される患者識別コード及び患者の氏名とを確実に一致させることができる。
【００４２】
また、カルテ１号用紙と診察カードを同時に発行することができるため、カルテ１号用紙を発行する装置の他に診察カードを印刷する装置を必要とせず、診察カードの発行コストを低減させることができ、かつ、迅速にカルテ１号用紙及び診察カードを発行することができる。
【００４３】
また、患者から他の医療施設の情報が提示された場合には、提示された他の医療施設の情報を他施設情報として診察カードに印刷している。従って、一の医療施設の医師は、診察カードに印刷されている他の医療施設の名称又は医療施設を示す施設コード、及び患者識別コードにより、医療施設及び患者を特定して、他の医療施設において行われた患者に対する処方や処置に関する情報（医療情報）の問い合わせを容易に行うことができる。即ち、医療情報の問い合わせを容易に行うことができるため、複数の医療施設間において医療情報を最大限に活用することができる。
【００４４】
なお、上述の実施の形態に係るカルテ１号用紙発行システムにおいては、入力部がキーボード、カードリーダ又はバーコードリーダ等により構成される場合を例として説明しているが、入力部が通信制御装置等により構成されていてもよい。即ち、医療施設の受付等に設置されている受付システムに患者情報や保険情報が入力された場合には、通信制御装置等により構成される入力部を介して受付システムから患者情報や保険情報を取得してもよい。
【００４５】
また、上述の実施の形態に係るカルテ１号用紙発行システムにおいては、カルテ１号用紙に予め患者情報を印刷する欄、保険情報を印刷する欄、特記事項を印刷する欄及び保管物に関する情報を印刷する欄を設けているが、これらの欄を設けなくてもよい。即ち、白紙のカルテ１号用紙の所定の位置に患者情報等を印刷してもよい。
【００４６】
また、上述の実施の形態に係るカルテ１号用紙発行システムにおいては、診察カードに、診察カードを発行する医療施設の名称又は施設コード、患者の氏名及び患者識別コードを印刷しているが、その他の情報を印刷してもよい。即ち、患者の血液型、住所、生年月日又は顔写真等を印刷してもよい。また、患者情報の中の所定の情報や患者識別コードを記憶したバーコードを印刷してもよい。
【００４７】
また、上述の実施の形態に係るカルテ１号用紙発行システムにおいては、診察カードに、診察カードを発行する医療施設の名称又は施設コードを印刷しているが、医療施設の名称と施設コードの双方を印刷してもよい。また、医療施設の名称又は施設コードは予め診察カードに印刷されていてもよい。
【００４８】
また、上述の実施の形態に係るカルテ１号用紙発行システムにおいては、他施設情報を診察カードにのみ印刷しているが、他施設情報をカルテ１号用紙にも印刷してもよい。この場合には、診察カード又はカルテ１号用紙に表示された他施設情報に基づいて他の医療施設に対して患者に関する問い合わせを行うことができる。
【００４９】
また、上述の実施の形態に係るカルテ１号用紙発行システムにおいては、特記事項をカルテ１号用紙にのみ印刷しているが、特記事項を診察カードにも印刷してもよい。この場合には、患者のアレルギーや特異体質等を診察カードの表示から容易に知ることができる。
【００５０】
次に、この発明の実施の形態に係る診察カード発行システムについて説明する。診察カード発行システムの構成は、図１に示すカルテ１号用紙発行システム２と同様の構成であるため説明を省略する。
【００５１】
この診察カード発行システムにより発行される診察カードには、上部中央に診察カードを発行する医療施設の名称又はその医療施設を示す施設コードを印刷する欄、左下部に患者の氏名を印刷する欄、右下部に患者識別コードを印刷する欄が設けられている。また、診察カードの中央部には、他施設情報、即ち、他の医療施設の名称又は施設コード及び、その医療施設で使用される患者識別コードを印刷する他施設情報印刷欄が設けられている。
【００５２】
次に、この発明の実施の形態に係る診察カード発行システムによる診察カードの発行処理について説明する。
【００５３】
まず、患者の氏名及び患者により提示された他施設情報を入力部を介して入力する。ここで、入力部は、キーボード、カードリーダ又はバーコードリーダ等により構成される。例えば、患者により他の医療施設で使用される診察カード（他施設カード）が提示された場合には、提示された他施設カードに表示されている他施設情報を、キーボード又はカードリーダを介して入力する。また、提示された他施設カードにバーコードが貼り付けられている場合には、バーコードに記録されている他施設情報をバーコードリーダを介して入力する。
【００５４】
次に、入力された患者の氏名及び他施設情報を患者識別コードに対応させてデータ記憶部に記憶する。ここで、患者識別コードは、患者の氏名が入力された順番に従って患者毎に順次付与される。なお、患者のカルテが既に発行されている場合には、カルテに印刷する情報が入力された際に付与された患者識別コードに対応させて他施設情報が記憶される。
【００５５】
次に、診察カードにおいて、医療施設の名称又は施設コードを印刷する欄に、診察カードを発行する医療施設の名称又は施設コードを、患者の氏名を印刷する欄に患者の氏名を、患者識別コードを印刷する欄に患者識別コードを、他施設情報印刷欄に他施設情報をそれぞれ印刷する。
【００５６】
ここで、診察カードは、カルテ１号用紙から剥離されたものであっても、予めカルテ１号用紙とは別に用意されているものであってもよい。また、患者により他施設カードが提示された場合には、提示された他施設カードに医療施設の名称又は施設コード及び、患者識別コードを印刷してもよい。
【００５７】
この実施の形態に係る診察カード発行システムによれば、患者により提示された他施設情報、即ち、他の医療施設の名称又は施設コード及び、その医療施設で使用される患者識別コードが診察カードに印刷されるため、患者が携行する診察カードの枚数を削減することができる。
【００５８】
また、他施設情報が診察カードに印刷されているため、診察カードに印刷された他の医療施設の患者識別コードを用いて、他の医療施設における患者に対する医師の所見、処置及び処方等の問い合わせを行うことができる。
【００５９】
なお、上述の実施の形態に係る診察カード発行システムにおいては、診察カードに所定の情報を印刷しているが、エンボスカードを作成するエンボスカード作成装置により所定の情報を診察カードに表示してもよい。
【００６０】
【発明の効果】
この発明のカルテ１号用紙発行システムによれば、同一の患者識別コードをカルテ１号用紙と診察カードにそれぞれ印刷すると共に、カルテ１号用紙に印刷される患者情報の中の所定の情報を診察カードに印刷することができる。従って、カルテ１号用紙に記載された情報と診察カードに表示された情報とを確実に一致させたカルテ１号用紙及び診察カードを容易にかつ迅速に発行することができる。
【００６１】
また、患者により提示された他の医療施設の情報、即ち、他の医療施設の名称又は施設コード及び、その医療施設で使用される患者識別コードを他施設情報として診察カードに表示している。従って、診察カードに表示された他の医療施設の患者識別コードを用いて他の医療施設における患者に対する処置又は処方等の医療情報の問い合わせを容易に行うことができ、複数の医療施設間で医療情報を最大限に活用することができる。
【００６２】
また、この発明の診察カード発行システムによれば、診察カードを発行する医療施設の名称又は施設コード、患者識別コード、患者の氏名及び患者により提示された他の医療施設の情報を１枚の診察カードに表示できる。そのため、一の医療施設の医師は、患者が携行する１枚の診察カードに表示された他施設情報に基づいて、他の医療施設に対して患者に関する問い合わせを容易に行うことができる。また、患者が携行する診察カードの枚数を削減することができる。
【図面の簡単な説明】
【図１】この発明の実施の形態に係るカルテ１号用紙発行システムのブロック構成図である。
【図２】この発明の実施の形態に係るカルテ１号用紙の一例を示す図である。
【図３】この発明の実施の形態に係るカルテ１号用紙と一体化した診察カードを説明するための図である。
【図４】この発明の実施の形態に係るカルテ１号用紙発行システムによるカルテ１号用紙の発行処理を説明するためのフローチャートである。
【図５】この発明の実施の形態に係る他施設情報が印刷された診察カードの一例を示す図である。
【図６】この発明の実施の形態に係る他施設情報が印刷された診察カードの他の例を示す図である。
【符号の説明】
２…カルテ１号用紙発行システム、４…データ処理部、６…入力部、８…データ記憶部、１０…印刷部、１２…診察カード、１４…他施設情報印刷欄。
【図１】
2004013251.tif 000003
【図２】
2004013251.tif 000004
【図３】
2004013251.tif 000005
【図４】
2004013251.tif 000006
【図５】
2004013251.tif 000007
【図６】
2004013251.tif 000008